(57)【特許請求の範囲】
【請求項１】
電子機器の本体に接続して所定の情報を記録又は再生いずれか一方或いは両方の情報処理を行うリムーバブル式のハードディスクを有したハードディスク装置において、
前記本体の所定情報を格納するハードディスクと、
前記ハードディスクを内蔵して弾性体により浮遊状態に支持するリムーバブル式のケースと、
前記本体に接続されて前記ハードディスクを内蔵した前記ケースを着脱可能にする保持部とを備え、
前記保持部内に内在するロック手段を設け、前記ケースの装着時に前記ロック手段が前記ケースを介して内蔵した前記ハードディスクの浮遊状態を固定して安定した前記情報処理を可能にするとともに、
前記ロック手段は、前記保持部内の両側面から突出するレール状の突部を有し、この突部が前記ケースの両側面に開口した開口溝に嵌入して着脱動作を案内するとともに、この開口溝に嵌入した前記突部が前記ケース内のハードディスクに係合して浮遊状態を同時に固定することを特徴とするハードディスク装置。
【請求項２】
電子機器の本体に接続して所定の情報を記録又は再生いずれか一方或いは両方の情報処理を行うリムーバブル式のハードディスクを有したハードディスク装置において、
前記本体の所定情報を格納するハードディスクと、
前記ハードディスクを内蔵して弾性体により浮遊状態に支持するリムーバブル式のケースと、
前記本体に接続されて前記ハードディスクを内蔵した前記ケースを着脱可能にする保持部とを備え、
前記保持部内に内在するロック手段を設け、前記ケースの装着時に前記ロック手段が前記ケースを介して内蔵した前記ハードディスクの浮遊状態を固定して安定した前記情報処理を可能にするとともに、
前記ロック手段は、前記ケースを上部に載置する前記保持部に形成されて上方に向かって複数突出する突部を有し、この突部が前記ケースの底面に設けた開口穴に嵌入して着脱動作を案内するとともに、この開口穴内の前記突部が前記ハードディスクを指圧して浮遊状態を同時に固定することを特徴とするハードディスク装置。
【請求項３】
電子機器の本体に接続して所定の情報を記録又は再生いずれか一方或いは両方の情報処理を行うリムーバブル式のハードディスクを有したハードディスク装置において、
前記本体の所定情報を格納するハードディスクと、
前記ハードディスクを内蔵して弾性体により浮遊状態に支持するリムーバブル式のケースと、
前記本体に接続されて前記ハードディスクを内蔵した前記ケースを着脱可能にする保持部とを備え、
前記保持部内に内在するロック手段を設け、前記ケースの装着時に前記ロック手段が前記ケースを介して内蔵した前記ハードディスクの浮遊状態を固定して安定した前記情報処理を可能にするとともに、
前記ロック手段は、前記保持部内で前記ケースに係合して引き込むチャッキング部材を有し、このチャッキング部材の一端を前記ケースに設けた開口穴に嵌入させて引き込むとともに、この開口穴内の前記チャッキング部材が前記ハードディスクを指圧して浮遊状態を同時に固定することを特徴とするハードディスク装置。
【請求項４】
請求項３に記載のハードディスク装置において、
前記ハードディスクには、前記弾性体による浮遊状態を維持して前記ケースとの間に介在するクランパを有し、前記チャッキング部材が前記クランパを指圧することで浮遊状態を固定することを特徴とするハードディスク装置。
【請求項５】
請求項２または３のいずれかに記載のハードディスク装置において、
前記ケース内には、前記ハードディスクを指圧する対向面にフェルト、ゴム、スポンジなどからなるクッションを配置して当接時の衝撃を吸収することを特徴とするハードディスク装置。
【請求項６】
請求項１乃至５のいずれかに記載のハードディスク装置において、
前記保持部は、前記電子機器の本体内または前記本体に接続した所定の筐体内のいずれかに収納していることを特徴とするハードディスク装置。
【請求項７】
請求項１乃至６のいずれかに記載のハードディスク装置において、
前記弾性体は、スプリング、板バネ、ダンパなどの付勢部材からなり、前記ハードディスクを前記ケース内で浮遊状態に支持することを特徴とするハードディスク装置。
【請求項８】
請求項１乃至７のいずれかに記載のハードディスク装置において、
前記電子機器の本体は、ＡＶ、ＰＣ、車載用機器などの本体であり、音楽、画像、動画などの情報を情報処理することを特徴とするハードディスク装置。
【発明の詳細な説明】
【０００１】
【発明の属する技術分野】
本発明はハードディスク装置に関する。
【０００２】
【従来の技術】
近年、ＡＶ、ＰＣ、車載用機器などの種々の本体に接続して音楽、画像、動画などの情報を記録または再生（或いは両方）するため、リムーバブル化した２．５インチのハードディスクを記録媒体として用いるハードディスク装置が知られている。この従来のハードディスク装置は、前述した各種本体に互換性を備えて共通に用いられ、相互の情報を共有化する役割を担った装置として注目されている。図７は、このような従来のハードディスク装置を示す図である。
【０００３】
図７に示すように、従来のハードディスク装置は、ＡＶ、ＰＣ、車載用機器などの本体１に採用しており、この本体１の音楽、画像、動画などの情報を記録または再生いずれか一方或いは両方を実行するハードディスク８４と、このハードディスク８４を内蔵するリムーバブル式のケース８０と、本体１に配置されてハードディスク８４を内蔵したリムーバブル式のケース８０を挿脱可能にする保持部７０とを備えている。ここで、従来のハードディスク装置は、ハードディスク８４をケース８０内に収納して固定する際、ケース８０の両側面からビス８２によりネジ止めすることで固定している。
【０００４】
そして、このような構成からなる従来のハードディスク装置は、図７に示したように、ハードディスク８４を内蔵したリムーバブル式のケース８０を種々の本体１に設けた保持部７０に着脱して本体１から所定情報をハードディスク８４に記録することで、この情報を更なる種々の本体で再生などの情報処理を行って活用する。
【０００５】
このように従来のハードディスク装置は、ＡＶ、ＰＣ、車載用機器などの種々の本体１に共通の保持部７０を各々設け、ハードディスク８４を内蔵したリムーバブル式のケース８０を着脱して情報を記録することで、この情報を各々異なる種々の本体１で活用可能な互換性を備え、この互換性による共通化によって高い量産効果を得ていた。
【０００６】
【発明が解決しようとする課題】
しかしながら、従来のハードディスク装置では、ハードディスク８４を収納したケース８０を種々の本体１まで搬送して保持部７０に出し入れするため、この搬送時に落下などの衝撃を受ける可能性が高く、この落下やその他の要因による衝撃に対してハードディスク８４は弱く、特に、ケース８０内に固定してしまうと、外部からの衝撃が直接伝わってしまい壊れやすいという欠点をもっていた。
また、従来のハードディスク装置では、前述した衝撃を緩和するため、ケース８０内でダンパ等を用いてハードディスク８４を浮遊（フローティング）状態に支持する方法もあるが、このハードディスク８４は本体１内で情報を記録または再生する際に固定されていないとハードディスク８４のヘッド（図示せず）が揺動する（ふらつく）ため、通電時の動作が非常に不安定になってしまうという不具合があった。
本発明はこのような課題を解決し、ハードディスクを浮遊または固定いずれかの状態に容易に切り替えることができ、性能を損なわず外部からの衝撃、落下から保護可能な低コストのハードディスク装置を提供することを目的とする。
【０００７】
【課題を解決するための手段】
本発明は上述の課題を解決するために、電子機器の本体に接続して所定の情報を記録又は再生いずれか一方或いは両方の情報処理を行うリムーバブル式のハードディスクを有したハードディスク装置であって、本体の所定情報を格納するハードディスクと、このハードディスクを内蔵して弾性体により浮遊状態に支持するリムーバブル式のケースと、本体に接続されてハードディスクを内蔵したケースを着脱可能にする保持部とを備え、この保持部内に内在するロック手段を設けてケースの装着時にロック手段がケースを介して内蔵したハードディスクの浮遊状態を固定して安定した情報処理を可能にする。また、ロック手段は、保持部内の両側面から突出するレール状の突部を有し、この突部がケースの両側面に開口した開口溝に嵌入して着脱動作を案内するとともに、この開口溝に嵌入した突部がケース内のハードディスクに係合して浮遊状態を同時に固定する。また、ロック手段の他の実施形態として、ケースを上部に載置する保持部に形成されて上方に向かって複数突出する突部を有し、この突部がケースの底面に設けた開口穴に嵌入して着脱動作を案内するとともに、この開口穴内の突部がハードディスクを指圧して浮遊状態を同時に固定する。また、ロック手段の更なる他の実施形態としては、保持部内でケースに係合して引き込むチャッキング部材を有し、このチャッキング部材の一端をケースに設けた開口穴に嵌入させて引き込むとともに、この開口穴内のチャッキング部材がハードディスクを指圧して浮遊状態を同時に固定する。
【０００９】
ここで、ハードディスクには、弾性体による浮遊状態を維持してケースとの間に介在するクランパを有し、チャッキング部材がクランパを指圧することで浮遊状態を固定することが好ましい。また、ケース内には、ハードディスクを指圧する対向面にフェルト、ゴム、スポンジなどからなるクッションを配置して当接時の衝撃を吸収することが好ましい。また、保持部は、電子機器の本体内または本体に接続した所定の筐体内のいずれかに収納することが好ましい。また、弾性体は、スプリング、板バネ、ダンパなどの付勢部材からなり、ハードディスクをケース内で浮遊状態に支持することが好ましい。また、電子機器の本体は、ＡＶ、ＰＣ、車載用機器などの本体であり、音楽、画像、動画などの情報を情報処理することが好ましい。
【００１０】
【発明の実施の形態】
次に、添付図面を参照して本発明によるハードディスク装置の実施の形態を詳細に説明する。図１は、本発明によるハードディスク装置の第１の実施形態を示す図である。また、図２は、図１に示したケース２０を保持部１０に着脱する際の動作を示す図であり、図２（ａ）は装着前の状態を、図２（ｂ）は装着後の状態を各々示している。
【００１１】
図１に示すように、本発明によるハードディスク装置の第１の実施形態は、図７に示した従来技術と同様にＡＶ、ＰＣ、車載用機器などの本体１に採用しており、この本体１の音楽、画像、動画などの情報を記録または再生いずれか一方或いは両方の情報処理を行うハードディスク２４と、このハードディスク２４を内蔵するリムーバブル式のケース２０と、本体１に配置されてハードディスク２４を内蔵したリムーバブル式のケース２０を挿脱可能にする保持部１０とを備えている。
【００１２】
ここで、第１の実施形態では、図７に示した従来技術とは異なり、ケース２０に内蔵したハードディスク２４を、スプリング、板バネ、ダンパなどからなる複数（図１では８箇所）の弾性体２２により浮遊（フローティング）状態に支持している。また、保持部１０には、ケース２０を挿入する内部の両側面からレール状に突出する一対の突部１０ａを一体に形成している。そして、ケース２０には、保持部１０の突部１０ａが挿脱時の案内として嵌入するように、両側面に開口する一対の開口溝２０ａを形成している。また、ハードディスク２４は、ケース２０内で浮動状態に支持されて開口溝２０ａに対向した両側面に一部切り欠いた凹溝２４ａを一対に形成している。従って、第１の実施形態では、ハードディスク２４を保持部１０に挿入した場合、この保持部１０の左右に突出する突部１０ａが開口溝２０ａに嵌入して挿脱動作を案内するとともに、この突部１０ａが更にロック手段としてハードディスク２４の凹溝２４ａに係合して浮遊状態を同時に固定する構造を備えている。
【００１３】
このような本発明によるハードディスク装置の第１の実施形態は、図２（ａ）に示すように、ケース２０を保持部１０に挿入していない場合、このケース２０内で弾性体２２がハードディスク２４を浮遊状態に支持しているため、弾性体２２の弾性力によってハードディスク２４に加わる落下やその他の要因による衝撃を十分に吸収することができる。従って、第１の実施形態では、ハードディスク２４を内蔵したケース２０を種々の本体１に安全に搬送することができ、この搬送時に落下やその他の要因による衝撃によってハードディスク２４が損傷することを確実に防止できる。
【００１４】
一方、第１の実施形態は、図１に示したように、ケース２０を保持部１０に挿入する場合、ケース２０の両側面に形成した開口溝２０ａを保持部１０の突部１０ａに合わせて嵌入することで挿入する。この際、突部１０ａは、図２（ｂ）に示すように、ケース２０両側面の開口溝２０ａに嵌入して挿脱動作を案内するとともに、この開口溝２０ａから更にケース２０内に介在してハードディスク２４の凹溝２４ａに係合して浮遊状態を同時に固定する。従って、ハードディスク２４は、ケース２０とともに保持部１０に収納することで同時に固定され、本体１内で所定情報を記録または再生するヘッド（図示せず）の揺動（ふらつき）を確実に抑え、通電時の動作を安定して行うことができる。
【００１５】
このように本発明によるハードディスク装置の第１の実施形態によると、図１に示したように、弾性体２２によりハードディスク２４をケース２０内に浮遊状態に支持した構造のため、ハードディスク２４の本来の性能を損なうことなく、同時に搬送時の落下やその他の要因による衝撃をケース２０内で確実に保護することができる。
また、本発明によるハードディスク装置の第１の実施形態によると、ケース２０を保持部１０内に挿入することで突部１０ａが自動的にハードディスク２４に係合して浮遊状態を固定状態に切り替えることができるため、使用者が挿入時に意識的に動作する必要性がなく、ハードディスク２４のヘッド（図示せず）の揺動（ふらつき）を抑え、通電時に安定した動作を実行することができる。
【００１６】
次に、図３及び図４を参照して、本発明によるハードディスク装置の第２の実施形態を詳細に説明する。図３は、本発明によるハードディスク装置の第２の実施形態を示す図である。また、図４は、図３に示したケース４０を保持部３０に着脱する際の動作を示す図であり、図４（ａ）は装着前の状態を、図４（ｂ）は装着後の状態を各々示している。
【００１７】
図３に示すように、本発明によるハードディスク装置の第２の実施形態は、第１の実施形態と同様に、ＡＶ、ＰＣ、車載用機器などの本体１に採用しており、この本体１の音楽、画像、動画などの情報を記録または再生いずれか一方或いは両方の情報処理を行うハードディスク４４と、このハードディスク４４を内蔵して弾性体４２により浮遊状態に支持するリムーバブル式のケース４０と、本体１に配置されてハードディスク４４を内蔵したリムーバブル式のケース４０を着脱可能にする保持部３０とを備えている。
【００１８】
ここで、弾性体４２は、スプリング、板バネ、ダンパなどの付勢部材からなり、ケース４０内に複数配置（図１では８箇所）してハードディスク４４を浮遊（フローティング）状態に支持している。また、第２の実施形態は、第１の実施形態とは異なり、ケース４０を上部から載置する保持部３０を設けており、この保持部３０に上方に向かって複数突出する突部３０ａを一体に備えている。そして、ケース４０には、保持部３０の突部３０ａを案内として嵌入するため、底面に複数開口する開口穴４０ａを形成している。また、ケース４０内には、開口穴４０ａを形成した面と対向する内側対向面にフェルト、ゴム、スポンジなどからなるクッション４１を複数配置している。従って、第２の実施形態では、ケース４０の装着時に突部３０ａが開口穴４０ａに挿入してハードディスク４４を指圧することで、このハードディスク４４の浮遊状態を同時に固定する構造に形成している。
【００１９】
このような本発明によるハードディスク装置の第２の実施形態は、図４（ａ）に示すように、保持部３０にケース４０を載置していない場合、このケース４０内でハードディスク４４が弾性体４２により浮遊状態に支持されているため、この弾性体４２によってケース４０の搬送時にハードディスク４４に加わる落下やその他の要因による衝撃を十分に吸収することができる。
【００２０】
一方、第２の実施形態は、図３に示した保持部３０にケース４０を載置する場合、ケース４０の底面に形成した開口穴４０ａを保持部３０の突部３０ａに合わせて嵌入することで載置される。この際、突部３０ａは、図４（ｂ）に示すように、ケース４０の開口穴４０ａに挿入されてケース４０の着脱動作を安全に案内するとともに、このケース４０内で更にロック手段としてハードディスク４４を指圧して浮遊状態を同時に固定する。ここで、ケース４０内には、ハードディスク４４を指圧する対向面にクッション４１を配置しており、対向面にハードディスク４４が当接した時に衝撃を吸収するように設けている。従って、ハードディスク４４は、ケース４０を保持部３０に載置することで同時に指圧されて固定し、本体１内で所定情報を記録または再生するヘッド（図示せず）の揺動（ふらつき）を確実に抑え、通電時（情報処理時）の動作を安定して行うことが可能になる。
【００２１】
このように本発明によるハードディスク装置の第２の実施形態によると、保持部３０にケース４０を着脱することでロック手段の突部３０ａがハードディスク４４を指圧して浮遊又は固定いずれかの状態に切り替えるため、第１の実施形態と同様の効果を得ることができる。
【００２２】
次に、図５及び図６を参照して、本発明によるハードディスク装置の第３の実施形態を詳細に説明する。図５は、本発明によるハードディスク装置の第３の実施形態を示す図である。また、図６は、図５に示したケース６０を保持部５０に着脱する際の動作を示す図であり、図６（ａ）は装着前の状態を、図６（ｂ）は装着途中の状態を、図６（ｃ）は装着後の状態を各々示している。
【００２３】
図５に示すように、本発明によるハードディスク装置の第３の実施形態は、第１及び第２の実施形態と同様に、ＡＶ、ＰＣ、車載用機器などの本体１に採用しており、この本体１の音楽、画像、動画などの情報を記録または再生いずれか一方或いは両方の情報処理を行うハードディスク６４と、このハードディスク６４を内蔵して弾性体６２により浮遊状態に支持するリムーバブル式のケース６０と、本体１に配置されてハードディスク６４を内蔵したリムーバブル式のケース６０を着脱可能にする保持部５０とを備えている。
【００２４】
ここで、弾性体６２は、スプリング、板バネ、ダンパなどの付勢部材からなり、ケース６０内に複数配置（図１では８箇所）してハードディスク６４を浮遊（フローティング）状態に支持している。また、第３の実施形態は、第１及び第２の実施形態とは異なり、保持部５０内でケース６０に係合して引き込むキャッチング部材５２を備えている。また、ケース６０には、保持部５０内のキャッチング部材５２が嵌入して引き込めるように開口穴６０ａを形成している。そして、ハードディスク６４は、弾性体６２により浮遊状態に維持したケース６０との間に介在するクランパ６３を装着しており、このクランパ６３が開口穴６０ａの近傍まで延在するように設けている。従って、ケース６０内では、開口穴６０ａに嵌入したチャッキング部材５２がクランパ６３を介してハードディスク６４を指圧して浮遊状態を固定できるように形成している。また、ケース６０内には、第２の実施形態と同様に、ハードディスク６４が指圧される対向面にクッション６１を配置している。このように第３の実施形態では、ケース６０を保持部５０に挿入した際に、チャッキング部材５２が自動的に開口穴６０ａに嵌入してケース６０を引き込むとともに、このチャッキング部材５２が同時にクランパ６３を介してハードディスク６４を指圧することで浮遊状態を固定できるように形成している。
【００２５】
このような本発明によるハードディスク装置の第３の実施形態は、保持部５０にケース６０を挿入していない場合、図６（ａ）に示すように、ケース６０内でハードディスク６４が弾性体６２により浮遊状態に支持されているため、この弾性体６２によってケース６０の搬送時にハードディスク６４に加わる落下やその他の要因による衝撃を十分に吸収することができる。
【００２６】
一方、第３の実施形態では、保持部５０にケース６０を挿入した場合、図６（ｂ）に示すように、チャッキング部材５２が自動的に降下してケース６０の開口穴６０ａに嵌入するとともに、この嵌入したチャッキング部材５２の先端がクランパ６３を指圧してハードディスク６４の浮遊状態を同時に固定する。ここで、ケース６０内では、ハードディスク６４を指圧する対向面にクッション６１を配置しており、対向面にハードディスク６４が当接した際に衝撃を吸収している。
その後、ケース６０は、図６（ｃ）に示すように、チャッキング部材５２が開口穴６０ａに嵌入した状態で保持部５０内に摺動して引き込むことで、ハードディスク６４の情報を情報処理可能な位置に移動する。従って、ハードディスク６４は、ケース６０を保持部５０に挿入することでチャッキング部材５２によりクランパ６３を介して指圧されて固定し、本体１内で所定情報を記録または再生するヘッド（図示せず）の揺動（ふらつき）を確実に抑え、通電時（情報処理時）の動作を安定して行うことが可能になる。
【００２７】
このように本発明によるハードディスク装置の第３の実施形態によると、保持部５０にケース６０を挿脱することでロック手段であるチャッキング部材５２がクランパ６３を介してハードディスク６４を指圧して浮遊又は固定いずれかの状態に自動的に切り替えるため、第１及び第２の実施形態と同様の効果を得ることができる。
【００２８】
以上、本発明によるハードディスク装置の実施の形態を詳細に説明したが、本発明は前述した実施の形態に限定されるものではなく、その要旨を逸脱しない範囲で変更可能である。
例えば、保持部を電子機器の本体内に設けたハードディスク装置の実施形態を説明したが、これに限定されるものではなく、電気機器の本体に電気的に外部接続する所定の筐体内に保持部を設けてもよい。
【００２９】
【発明の効果】
このように本発明によるハードディスク装置によれば、ハードディスクを浮遊または固定いずれかの状態に容易に切り替えることができ、性能を損なわず外部からの衝撃、落下から確実に保護可能な低コストのハードディスク装置を提供することができる。
【図面の簡単な説明】
【図１】本発明によるハードディスク装置の第１の実施形態を示す図。
【図２】図１に示したケースを保持部に着脱する際の動作を示す図。
【図３】本発明によるハードディスク装置の第２の実施形態を示す図。
【図４】図３に示したケースを保持部に着脱する際の動作を示す図。
【図５】本発明によるハードディスク装置の第３の実施形態を示す図。
【図６】図５に示したケースを保持部に着脱する際の動作を示す図。
【図７】従来のハードディスク装置を示す図。
【符号の説明】
１    本体
１０    保持部
１０ａ  突部
２０    ケース
２０ａ  開口溝
２２    弾性体
２４    ハードディスク
２４ａ  凹溝
【図１】
0004045116.tif 000002
【図２】
0004045116.tif 000003
【図３】
0004045116.tif 000004
【図４】
0004045116.tif 000005
【図５】
0004045116.tif 000006
【図６】
0004045116.tif 000007
【図７】
0004045116.tif 000008